(57)【要約】【課題】降雨時に雨を効果的に防止し、テント屋根の先端部から雨水が流れ落ちることを防止すると共に、店舗の前方を広く開放することができ、通行の妨げとならない伸縮テント屋根装置を提供すること。【解決手段】先端部が斜め下向きの状態で伸縮されるテント屋根部材ＴＹと、テント屋根部材ＴＹの先端部に設けられた軒樋部材ＮＴと、軒樋部材ＮＴの両端部の雨水導出部ＮＴｐに連通されるパイプ樋部材ＳＰと、パイプ樋部材ＳＰを通して導かれた雨水を下方に導く竪樋部材ＴＴとを有し、前記パイプ樋部材ＳＰは、回転ジョイント樋部材ＲＪを介して軒樋部材ＮＴ、竪樋部材ＴＴと連通されていると共に、テント屋根部材ＴＹの伸縮に追従して伸縮するように構成されている。【選択図】図１
2011058170.tif 000002
【特許請求の範囲】
【請求項１】
先端部が斜め下向きの状態で伸縮されるテント屋根部材(ＴＹ)と、テント屋根部材(ＴＹ)の先端部に設けられた軒樋部材(ＮＴ)と、軒樋部材(ＮＴ)の両端部の雨水導出部(ＮＴｐ)に連通されるパイプ樋部材(ＳＰ)と、パイプ樋部材(ＳＰ)を通して導かれた雨水を下方に導く竪樋部材(ＴＴ)とを有し、前記パイプ樋部材(ＳＰ)は、回転ジョイント樋部材(ＲＪ)を介して軒樋部材(ＮＴ)、竪樋部材(ＴＴ)と連通されていると共に、テント屋根部材(ＴＹ)の伸縮に追従して伸縮するように構成されていることを特徴とする伸縮テント屋根装置。
【請求項２】
パイプ樋部材(ＳＰ)は、内径及び外径が互いに異なる複数のパイプ樋ユニット(ＳＰｙ１)（ＳＰｙ２）（ＳＰｔ３）を有し、かつ互いに伸縮可能に連結されていることを特徴とする請求項１に記載の伸縮テント屋根装置。
【請求項３】
テント屋根部材(ＴＹ)が最も伸長された状態において、パイプ樋部材(ＳＰ)の所定位置を吊り下げ状に支持する支持部材（ＳＡ１）（ＳＡ２）を有していることを特徴とする請求項１または請求項２に記載の伸縮テント屋根装置。
【請求項４】
支持部材（ＳＡ１）（ＳＡ２）は、パイプ樋部材(ＳＰ)の収縮に追従して折り畳まれるものであることを特徴とする請求項３に記載の伸縮テント屋根装置。
【請求項５】
テント屋根部材(ＴＹ)は、テント部材（ＴＹｔ）と、テント部材（ＴＹｔ）の基端部が連結された巻き取りドラム部材(ＴＹｍ)と、テント部材（ＴＹｔ）の先端部に連結された先端部材(ＴＹｓ)と、先端部材(ＴＹｓ)を基端部に対して接近離間可能に連結する伸縮アーム部材（ＴＹａ）とを有していることを特徴とする請求項１から請求項４の何れかに記載の伸縮テント屋根装置。
【請求項６】
巻き取りドラム部材(ＴＹｍ)を支持する支持梁部材(ＳＨ)と、支持梁部材(ＳＨ)を支持する支持柱部材(ＳＨＰ)とを有し、竪樋部材(ＴＴ)は支持柱部材(ＳＨＰ)に沿う状態で支持されていることを特徴とする請求項１から請求項５の何れかに記載の伸縮テント屋根装置。
【発明の詳細な説明】
【技術分野】
【０００１】
本発明は、店舗の軒先等に設けられて、日差しを遮ったり、雨を防いだりするために、伸縮可能に構成してなる伸縮テント屋根に関する。
【背景技術】
【０００２】
従来から、店先の陳列商品、来店客等のために、日差しを遮ったり、雨を防いだりするために、伸縮可能に構成してなる伸縮テント屋根が店舗の軒先等に設けられている。
このような伸縮テント屋根装置を設けておけば、日差しが強い場合、雨が降っている場合のように、必要な場合にのみテント屋根を伸長させて、日差しを遮ったり、雨を防いだりすることができ、陳列商品の保護を達成し、来店客の便宜を図ることができる。
【０００３】
しかし、雨を防ぐ目的で伸縮テント屋根を伸長させた場合には、先端部が斜め下向きの状態で伸長されることに起因して、伸縮テント屋根の先端部から雨水が流れ落ちることになり、必ずしも十分な雨対策がとれていることにはならない。
特に、通路を挟んで向かい合わせの状態で商店が並んでおり、両側の商店に伸縮テント屋根が設けられている場合には、通路の中央部において両伸縮テント屋根の先端部がほぼ同じ位置に存在することになってしまうので、流れ落ちる雨水の量が２倍になってしまい、かえって雨水による被害が大きくなってしまう。換言すれば、両伸縮テント屋根の先端部から流れ落ちる雨水があたかも白糸の滝のような状態になってしまい、来店客の通行、商売ができる状態ではなくなってしまう。
【０００４】
また、オーニングの先端部から雨水が直接に落下することを防止できるものとして、特許文献１に記載されたものが提案されている。
特許文献１に記載されたオーニングは、日除けとなる防水布を配置したオーニング基礎ユニット、横方向の固定座ユニット、導水溝ユニット及び集水ジョイントユニットで構成されている。固定座ユニットは、平行壁面間などにオーニング基礎ユニットを固定し、オーニング基礎ユニットは、巻取軸、巻取装置、伸縮アーム及び防水布からなり、防水布を巻取装置で巻き取る操作によって伸縮アーム及び防水布展開幅を調節可能とし、防水布前縁の導水溝ユニットは、伸縮アームを最大に展開した時に、底部両端のホールから集水ジョイントユニットの位置に対応して雨水を集水ユニットに送るようにしている。そして、導水溝ユニットを備えた前縁を次列のオーニングの固定座ユニットが覆うように、シート式導水伸縮オーニングを複数平行に配置している。
この構成のオーニングを採用すれば、降雨時には、伸縮アームを最大限に展開しておくことによって、雨水が防水布から直接に流れ落ちるという不都合を確実に防止することができる。
【０００５】
しかし、特許文献１に記載されたオーニングを店舗に適用する場合には、前向きに伸縮させるように設けるのではなく、横向きに伸縮させるように設けることになるので、収縮時にも固定座ユニットが店舗から突出したままの状態になってしまい、店舗の前の空間がすっきりしないことになってしまう。
また、伸縮アームを最大限に展開した状態において導水溝ユニットの底部両端のホールに対応するように集水ジョイントユニットを設けておかなければならないので、雨が降っていない場合には特に集水ジョイントユニットが店舗前方の通行エリアにおける妨害物になってしまう。
さらに、手違いによって、伸縮アームを最大限には展開しない状態が出現した場合には、導水溝ユニットの底部両端のホールから雨水が直接に流れ落ちてしまうことになってしまう。
【先行技術文献】
【特許文献】
【０００６】
【特許文献１】特開２００４−２５６９９４号公報
【発明の概要】
【発明が解決しようとする課題】
【０００７】
本発明が解決しようとする課題は、以下の通りである。
○本発明が解決しようとする第１課題
降雨時に雨を効果的に防止し、テント屋根の先端部から雨水が流れ落ちることを防止することができる伸縮テント屋根装置を提供することである。
○本発明が解決しようとする第２課題
店舗の前方を広く開放することができ、通行の妨げとならない伸縮テント屋根装置を提供することである。
【０００８】
○本発明が解決しようとする第３課題
テント屋根の伸縮の程度に拘らず、テント屋根の先端部から雨水が流れ落ちることを防止することができる伸縮テント屋根装置を提供することである。
○本発明が解決しようとする第４課題
テント屋根の伸長長さを長くした場合であっても、十分な支持強度を確保することができる伸縮テント屋根装置を提供することである。
【課題を解決するための手段】
【０００９】
課題を解決するための手段は、本願の[特許請求の範囲]の各請求項に記載の発明である。
特許請求の範囲、明細書、図面等の用語の解釈上の疑義を解消すべく、以下、用語の説明を行うこととする。
＜用語の説明＞
○テント屋根部材とは、防水処理が施されたテント生地で構成され、簡易型の屋根として使用されるものをいう。
○巻き取りドラム部材とは、テント屋根部材を巻き取るために用いられるドラム状の部材をいい、テント屋根部材の伸縮を可能にするものである。
○先端部材とは、テント屋根部材の先端縁に設けられた部材であり、この先端部材によって、テント屋根部材の先端縁を緊張状態にすることができる。
○伸縮アーム部材とは、先端部材を基端部に対して接近離間可能に連結するためのものであり、伸縮アーム部材によって、伸縮の程度に拘らず、テント屋根部材を緊張状態で支持することができる。
【００１０】
○支持梁部材とは、巻き取りドラム部材を支持するための梁部材をいう。
○支持柱部材とは、支持梁部材を支持するための柱部材をいう。
○軒樋部材とは、テント屋根部材の先端部の全幅範囲にわたって、雨水を受けるように設けられる樋部材をいい、両端部に雨水導出部を有している。
○パイプ樋部材とは、パイプ形状の樋部材をいい、軒樋部材の両端部の雨水導出部に連通されて雨水を手前側（支持柱部材側）に導くことができるように構成されている。そして、雨水を漏出させることなく、テント屋根部材の伸縮に追従して伸縮するように構成されている。
○竪樋部材とは、パイプ樋部材により導かれた雨水を下方に導くための樋部材をいい、好ましくは、支持柱部材に沿う状態で取り付けられている。
【００１１】
○回転ジョイント樋部材とは、軒樋部材とパイプ樋部材、パイプ樋部材と竪樋部材とを回転自在、かつ雨水の漏出がないように連通するための樋部材をいう。
○支持部材とは、テント屋根部材が最も伸長された状態において、パイプ樋部材の所定位置を吊り下げ状に支持する部材をいい、テント屋根部材の収縮に伴って徐々に折り畳まれるように構成されていることが好ましい。
本発明者は、上記の従来技術が有する各種の問題点に鑑み、鋭意研究を重ねて、本発明を完成した。
【００１２】
本発明者が、本発明が解決しようとする課題の重要性に気付く契機となったのは、従来技術の欠点を生じる最大の原因が、店舗の店先に対して伸縮させられるテント屋根が雨水を受ける樋部材を設ける必要があることに気付いていなかったことである。
また、店舗の店先の空間に通行の妨げとなる物体を設けてはいけないことに気付いていなかったことである。
本発明者は、降雨時においても、店舗の店先の空間を快適に通行することができ、しかも、陳列品に雨による悪影響を殆ど生じさせないものはないかと種々検討・模索を重ねて、本発明を完成した。
課題を解決するための手段は、本願の特許請求の範囲の各請求項に記載の発明であり、その具体的な解決手段は、以下の通りである。
【００１３】
○第１の発明（請求項１に記載の発明）
上記の課題を解決するための第１の発明（請求項１に記載の発明）は、
先端部が斜め下向きの状態で伸縮されるテント屋根部材ＴＹと、テント屋根部材ＴＹの先端部に設けられた軒樋部材ＮＴと、軒樋部材ＮＴの両端部の雨水導出部ＮＴｐに連通されるパイプ樋部材ＳＰと、パイプ樋部材ＳＰを通して導かれた雨水を下方に導く竪樋部材ＴＴとを有し、前記パイプ樋部材ＳＰは、回転ジョイント樋部材ＲＪを介して軒樋部材ＮＴ、竪樋部材ＴＴと連通されていると共に、テント屋根部材ＴＹの伸縮に追従して伸縮するように構成されていることを特徴とする伸縮テント屋根装置である。
【００１４】
○第２の発明（請求項２に記載の発明）
上記の課題を解決するための第２の発明（請求項２に記載の発明）は、
パイプ樋部材ＳＰは、内径及び外径が互いに異なる複数のパイプ樋ユニットＳＰｙ１、ＳＰｙ２、ＳＰｙ３を有し、かつ互いに伸縮可能に連結されていることを特徴とする請求項１に記載の伸縮テント屋根装置である。
○第３の発明（請求項３に記載の発明）
上記の課題を解決するための第３の発明（請求項３に記載の発明）は、
テント屋根部材ＴＹが最も伸長された状態において、パイプ樋部材ＳＰの所定位置を吊り下げ状に支持する支持部材ＳＡ１、ＳＡ２を有していることを特徴とする請求項１または請求項２に記載の伸縮テント屋根装置である。
【００１５】
○第４の発明（請求項４に記載の発明）
上記の課題を解決するための第４の発明（請求項４に記載の発明）は、
支持部材ＳＡ１、ＳＡ２は、パイプ樋部材ＳＰの収縮に追従して折り畳まれるものであることを特徴とする請求項３に記載の伸縮テント屋根装置である。
○第５の発明（請求項５に記載の発明）
上記の課題を解決するための第５の発明（請求項５に記載の発明）は、
テント屋根部材は、テント部材ＴＹｔと、テント部材ＴＹｔの基端部が連結された巻き取りドラム部材ＴＹｍと、テント部材ＴＹｔの先端部に連結された先端部材ＴＹｓと、先端部材ＴＹｓを基端部に対して接近離間可能に連結する伸縮アーム部材ＴＹａとを有していることを特徴とする請求項１から請求項４の何れかに記載の伸縮テント屋根装置である。
【００１６】
○第６の発明（請求項６に記載の発明）
上記の課題を解決するための第６の発明（請求項６に記載の発明）は、
巻き取りドラム部材ＴＹｍを支持する支持梁部材ＳＨと、支持梁部材ＳＨを支持する支持柱部材ＳＨＰとを有し、竪樋部材ＴＴは支持柱部材ＳＨＰに沿う状態で支持されていることを特徴とする請求項１から請求項５の何れかに記載の伸縮テント屋根装置である。
【発明の効果】
【００１７】
本発明に係る伸縮テント屋根装置は、上記のような特徴的構成要件から構成され、特徴的構成要件に応じた、以下のような本願発明特有の効果を奏する。
また、上記のような特徴的構成要件から構成された伸縮テント屋根装置によれば、本願発明の課題を解決することができた。
○第１の発明の効果
第１の発明によれば、
先端部が斜め下向きの状態で伸縮されるテント屋根部材と、テント屋根部材の先端部に設けられた軒樋部材と、軒樋部材の両端部の雨水導出部に連通されるパイプ樋部材と、パイプ樋部材を通して導かれた雨水を下方に導く竪樋部材とを有し、前記パイプ樋部材は、回転ジョイント樋部材を介して軒樋部材、竪樋部材と連通されていると共に、テント屋根部材の伸縮に追従して伸縮するように構成されているという特徴的な構成要件により、
降雨時に店先に快適な通行空間を提供することができる伸縮テント屋根装置を提供することができた。
すなわち、本発明が解決しようとする第１課題、第２課題、第３課題を達成することができ、当業者予測不可能な顕著な効果を奏することができた。
【００１８】
○第２の発明の効果
第２の発明によれば、
パイプ樋部材は、内径及び外径が互いに異なる複数のパイプ樋ユニットを有し、かつ互いに伸縮可能に連結されているという特徴的な構成要件により、
テント屋根部材の伸縮に追従させて、雨水を漏出させることなく、パイプ樋部材を伸縮させることができた。
すなわち、本発明が解決しようとする第１課題、第２課題、第３課題を達成することができ、当業者予測不可能な顕著な効果を奏することができた。
○第３の発明の効果
第３の発明によれば、
テント屋根部材が最も伸長された状態において、パイプ樋部材の所定位置を吊り下げ状に支持する支持部材を有しているという特徴的な構成要件により、
最も伸長した状態のパイプ樋部材を安定に支持することができた。
すなわち、本発明が解決しようとする第１課題、第２課題、第３課題、第４課題を達成することができ、当業者予測不可能な顕著な効果を奏することができた。
【００１９】
○第４の発明の効果
第４の発明によれば、
支持部材は、パイプ樋部材の収縮に追従して折り畳まれるものであるという特徴的な構成要件により、
パイプ樋部材の収縮状態に応じて支持部材を折り畳むことができた。
すなわち、本発明が解決しようとする第１課題、第２課題、第３課題、第４課題を達成することができ、当業者予測不可能な顕著な効果を奏することができた。
○第５の発明の効果
第５の発明によれば、
テント屋根部材は、基端部が連結された巻き取りドラム部材と、先端部に連結された先端部材と、先端部材を基端部に対して接近離間可能に連結する伸縮アーム部材とを有しているという特徴的な構成要件により、
簡単な構成で、テント屋根部材の伸縮を達成することができた。
すなわち、本発明が解決しようとする第１課題、第２課題、第３課題、第４課題を達成することができ、当業者予測不可能な顕著な効果を奏することができた。
【００２０】
○第６の発明の効果
第６の発明によれば、
巻き取りドラム部材を支持する支持梁部材と、支持梁部材を支持する支持柱部材とを有し、竪樋部材は支持柱部材に沿う状態で支持されているという特徴的な構成要件により、
テント屋根部材を、支持柱部材により支持される支持梁部材により支持し、しかも、竪樋部材を支持柱部材に沿わせることができ、特別の支持部材を不要にすることができた。
すなわち、本発明が解決しようとする第１課題、第２課題、第３課題、第４課題を達成することができ、当業者予測不可能な顕著な効果を奏することができた。
【図面の簡単な説明】
【００２１】
【図１】本発明の伸縮テント屋根装置の一実施形態の伸長状態を示す概略側面図である。
【図２】同上の収縮状態を示す概略側面図である。
【図３】回転ジョイント樋の一実施形態を示す概略正面図である。
【図４】向かい合った店舗から伸縮テント屋根装置が伸長された状態を示す概略側面図である。
【図５】向かい合った店舗の伸縮テント屋根装置が収縮された状態を示す概略側面図である。
【発明を実施するための形態】
【００２２】
以下、添付図面を参照して、本発明の伸縮テント屋根装置の実施の形態を詳細に説明する。
第１の発明の伸縮テント屋根装置は、
先端部が斜め下向きの状態で伸縮されるテント屋根部材ＴＹと、テント屋根部材ＴＹの先端部に設けられた軒樋部材ＮＴと、軒樋部材ＮＴの両端部の雨水導出部ＮＴｐに連通されるパイプ樋部材ＳＰと、パイプ樋部材ＳＰを通して導かれた雨水を下方に導く竪樋部材ＴＴとを有し、前記パイプ樋部材ＳＰは、回転ジョイント樋部材ＲＪを介して軒樋部材ＮＴ、竪樋部材ＴＴと連通されていると共に、テント屋根部材ＴＹの伸縮に追従して伸縮するように構成されていることを特徴としている。
【００２３】
第２の発明の伸縮テント屋根装置は、
パイプ樋部材ＳＰは、内径及び外径が互いに異なる複数のパイプ樋ユニットＳＰｙ１、ＳＰｙ２、ＳＰｙ３を有し、かつ互いに伸縮可能に連結されていることを特徴としている。
第３の発明の伸縮テント屋根装置は、
テント屋根部材ＴＹが最も伸長された状態において、パイプ樋部材ＳＰの所定位置を吊り下げ状に支持する支持部材ＳＡ１、ＳＡ２を有していることを特徴としている。
【００２４】
第４の発明の伸縮テント屋根装置は、
支持部材ＳＡ１、ＳＡ２は、パイプ樋部材ＳＰの収縮に追従して折り畳まれるものであることを特徴としている。
第５の発明の伸縮テント屋根装置は、
テント屋根部材ＴＹは、テント部材ＴＹｔと、テント部材ＴＹｔの基端部が連結された巻き取りドラム部材ＴＹｍと、テント部材ＴＹｔの先端部に連結された先端部材ＴＹｓと、先端部材ＴＹｓをテント部材ＴＹｔの基端部に対して接近離間可能に連結する伸縮アーム部材ＴＹａとを有していることを特徴としている。
第６の発明の伸縮テント屋根装置は、
巻き取りドラム部材ＴＹｍを支持する支持梁部材ＳＨと、支持梁部材ＳＨを支持する支持柱部材ＳＨＰとを有し、竪樋部材ＴＴは支持柱部材ＳＨＰに沿う状態で支持されていることを特徴としている。
【００２５】
[図１]は、本発明の伸縮テント屋根装置の一実施形態の伸長状態を示す概略側面図である。
[図２]は、同上の収縮状態を示す概略側面図である。
[図３]は、回転ジョイント樋の一実施形態を示す概略正面図である。
[図４]は、向かい合った店舗から伸縮テント屋根装置が伸長された状態を示す概略側面図である。
[図５]は、向かい合った店舗の伸縮テント屋根装置が収縮された状態を示す概略側面図である。
【００２６】
この伸縮テント屋根装置は、テント屋根部材ＴＹと、軒樋部材ＮＴと、伸縮パイプ樋部材ＳＰと、竪樋部材ＴＴとを有している。
テント屋根部材ＴＹは、防水布等からなる方形のテント部材ＴＹｔと、テント部材ＴＹｔの先端部に取り付けられた先端部材ＴＹｓと、テント部材ＴＹｔを巻き取ることができるように設けられた巻取テントドラム部材ＴＹｍと、巻取テントドラム部材ＴＹｍが取り付けられた基部部材ＳＨ（例えば、支持梁部材ＳＨ）に対して先端部材ＴＹｓを接近離間可能に連結する伸縮アーム部材ＴＹａとを有している。
【００２７】
ここで、伸縮アーム部材ＴＹａは、それ自体が折れ曲がることによって基部部材ＳＨに対する先端部材ＴＹｓの間隔を増減させるものであってもよいが、それ自体が伸縮することによって基部部材ＳＨに対する先端部材ＴＹｓの間隔を増減させるものであってもよい。
先端部材ＴＹｓは、ある程度の剛性があり、かつ、任意の形状を有しているものであればよい。
巻取テントドラム部材ＴＹｍは、テント部材ＴＹｔを巻き取ることができるドラム部材であればよく、手動操作によって動作されるものであってもよく、モーター等によって駆動されるものであってもよい。
【００２８】
軒樋部材ＮＴは、テント部材ＴＹｔの幅と等しい長さを有し、かつ、所定の断面形状（例えば、上部が開放された方形形状）を有するものであり、先端部材ＴＹｓに連結されているとともに、長手方向の両端部の下面に雨水導出パイプ（雨水導出部）ＮＴｐを有している。そして、この雨水導出パイプＮＴｐは、その下部が、長手方向外側に向くように湾曲形成されて、第１回転連結部材ＮＴｐｒを構成している。
伸縮パイプ樋部材ＳＰは、この実施形態においては、３つのパイプ樋ユニットＳＰｙ１、ＳＰｙ２、ＳＰｙ３を有している。これらのパイプ樋ユニットＳＰｙ１、ＳＰｙ２、ＳＰｙ３は、互いに内径及び外径が異なるものであり、軒樋部材ＮＴに連結されるパイプ樋ユニットＳＰｙ１の内径及び外径が最も小さく、竪樋部材ＴＴに連結されるパイプ樋ユニットＳＰｙ３の内径及び外径が最も大きく設定され、雨水を漏出させることなく、伸縮するように構成されている。
【００２９】
また、パイプ樋ユニットＳＰｙ１の上部には、第１回転連結部材ＮＴｐｒを雨水の漏出を阻止し、かつ回転可能に収容する第２回転連結部材ＳＰｙ１ｒが設けられている。すなわち、第１回転連結部材ＮＴｐｒと第２回転連結部材ＳＰｙ１ｒで回転ジョイント樋部材ＲＪを構成している。
特には示していないが、パイプ樋ユニットＳＰｙ３と竪樋部材ＴＴとの間にも、同様の構成の回転ジョイント樋部材が設けられている。
基部部材（支持梁部材）ＳＨは、少なくともその両端部において、支持柱部材ＳＨＰによって支持されている。そして、支持柱部材ＳＨＰに沿うように竪樋部材ＴＴが設けられている。
また、一端が基部部材ＳＨに連結され、他端がパイプ樋ユニットＳＰｙ２、ＳＰｙ３の先端部に連結された支持アーム部材ＳＡ１、ＳＡ２が設けられている。そして、これらの支持アーム部材ＳＡ１、ＳＡ２は、伸縮パイプ樋部材ＳＰの収縮に応じて折り畳まれ、収納されるように構成されている。
なお、図においては、テント屋根部材ＴＹの構成を理解し易くするために、基部部材ＳＨから離した状態で示している。
【００３０】
上記の構成の伸縮テント屋根装置の作用は次の通りである。
テント部材ＴＹｔを伸長させれば、先端部材ＴＹｓに軒樋部材ＮＴが連結されているとともに、軒樋部材ＮＴに対して回転ジョイント樋部材ＲＪを介してパイプ時ユニットＳＰｙ１が連結されているので、伸縮パイプ樋部材ＳＰが追従して伸長する。そして、伸縮パイプ樋部材ＳＰの伸長に追従して支持アーム部材ＳＡ１、ＳＡ２が伸長して、伸長状態の伸縮パイプ樋部材ＳＰを吊り下げ状に支持することができる。
【００３１】
上記の動作を行う間に軒樋部材ＮＴと伸縮パイプ樋部材ＳＰとの相対角度、及び竪樋部材ＴＴと伸縮パイプ樋部材ＳＰとの相対角度が変化するが、軒樋部材ＮＴと伸縮パイプ樋部材ＳＰとが回転ジョイント樋部材ＲＪを介して接続されていると共に、竪樋部材ＴＴと伸縮パイプ樋部材ＳＰとが回転ジョイント樋部材を介して接続されているので、何ら不都合なく、上記の伸長動作を行うことができる。
この結果、テント部材ＴＹｔに降った雨水が、軒樋部材ＮＴ、伸縮パイプ樋部材ＳＰ、及び竪樋部材ＴＴを通して導かれることになり、伸縮テント屋根装置の下の空間を快適に歩ける空間にすることができる。
この結果、雨の日でも、商店は何ら不都合なく営業を行うことができる。
【００３２】
図４に示すように、向かい合う商店から伸縮テント屋根装置が伸長された場合にも、それぞれのテント部材ＴＹｔに降った雨水が、それぞれの軒樋部材ＮＴ、伸縮パイプ樋部材ＳＰ、及び竪樋部材ＴＴを通して導かれることになり、両伸縮テント屋根装置の下の空間を快適に歩ける空間にすることができる。
すなわち、軒樋部材がない場合には、両テント部材の先端部から雨水が勢いよく流れ落ちて、歩行の妨げとなり、営業にも差し支えることになっていたのであるが、上記の実施形態によれば、雨水の影響を殆ど皆無にすることができた。
逆に、心地よい晴れの日などには、テント部材ＴＹｔを巻き取って、伸縮テント屋根装置を収縮させればよく、店舗の前の空間を、歩行の邪魔になるものが全くない状態にすることができる（図２参照）。
商店が向かい合っている場合には、図５に示すように、商店どうしの間の空間を、歩行の邪魔になるものが全くない状態にすることができる。
【符号の説明】
【００３３】
ＴＹ        テント屋根部材
ＮＴ        軒樋部材
ＳＰ        伸縮パイプ樋部材
ＴＴ        竪樋部材
ＴＹｔ      テント部材
ＴＹｓ      先端部材
ＴＹｍ      巻取テントドラム部材
ＳＨ        基部部材（支持梁部材）
ＴＹａ      伸縮アーム部材
ＮＴｐ      雨水導出パイプ
ＮＴｐｒ    第１回転連結部材
ＳＰｙ１    パイプ樋ユニット
ＳＰｙ２    パイプ樋ユニット
ＳＰｙ３    パイプ樋ユニット
ＳＰｙ１ｒ  第２回転連結部材
ＲＪ        回転ジョイント樋部材
ＳＨＰ      支持柱部材
ＳＡ１      支持アーム部材
ＳＡ２      支持アーム部材
【図１】
2011058170.tif 000003
【図２】
2011058170.tif 000004
【図３】
2011058170.tif 000005
【図４】
2011058170.tif 000006
【図５】
2011058170.tif 000007